(57)【要約】      （修正有）【課題】ディジタル媒体コンテンツを展示したり取引したり頒布したりする、ディジタルコンテンツ・キオスクにおいて、ディジタル媒体に関する窃盗による損失を防止する。【解決手段】ディジタルコンテンツが記録されたディスク１０２において、平坦な上側表面１１０に所定のパターンで隠しセキュリティ情報を含む識別マーク１０６を設け、特定の波長の光を発光させるために隠し光源を発光させ、イメージセンサーを用いて識別マーク１０６の真正性を認証する。【選択図】図１
2012123891.tif 000002
【特許請求の範囲】
【請求項１】
平坦な上側表面を有するディスクを準備するステップと、
前記平坦な上側表面に隠しセキュリティ情報を含む識別マークを適用するステップと、
を含む損失防止システムの製造方法。
【請求項２】
前記隠しセキュリティ情報を含む識別マークを適用するステップは、前記隠しセキュリティ情報を含む識別マークであって、特定の波長帯域の光に対して蛍光を発する識別マークを適用するステップを含む、
請求項１に記載された損失防止システムの製造方法。
【請求項３】
前記隠しセキュリティ情報を含む識別マークを適用するステップは、前記識別マークに所定のパターンで前記隠しセキュリティ情報を印刷するステップを含む、
請求項１に記載された損失防止システムの製造方法。
【請求項４】
前記隠しセキュリティ情報を含む識別マークを適用するステップは、前記平坦な上側表面に直接インク印刷するステップを含む、
請求項１に記載された損失防止システムの製造方法。
【請求項５】
前記隠しセキュリティ情報を含む識別マークを適用するステップは、特定の波長帯域の光に反応する前記隠しセキュリティ情報を含む識別マークを適用するステップを含む、
請求項１に記載された損失防止システムの製造方法。
【請求項６】
隠しセキュリティ情報を含んでいる識別マークを有するディスクを利用するステップと、
特定の波長の光を発光させるために、隠し光源を発光させるステップと、
識別マークの真正性を認証するためのイメージセンサーを用いるステップと、
を含む損失防止システムの認証方法。
【請求項７】
前記隠しセキュリティ情報を含むディスクを利用するステップは、特定の波長幅の光に対して蛍光を発光させる隠しセキュリティ情報を有するディスクを利用するステップを含み、
前記イメージセンサーを用いるステップは、前記隠しセキュリティ情報の蛍光を検出するステップを含む、
請求項６に記載の損失防止システムの認証方法。
【請求項８】
前記イメージセンサーを用いるステップは、隠しセキュリティ情報を検出し、ディスクが真正であることを認証するステップを含む、
請求項６に記載の損失防止システムの認証方法。
【請求項９】
前記イメージセンサーを用いるステップは、ディスク上の顕在的な情報を検出するステップを含む、
請求項６に記載の損失防止システムの認証方法。
【請求項１０】
前記イメージセンサーを用いるステップは、ディスクが真正であることを認証するために、顕在的な情報と前記隠しセキュリティ情報とを比較するステップを含む、
請求項６に記載の損失防止システムの認証方法。
【請求項１１】
平坦な上側表面を有するディスクと、及び
前記平坦な上側表面に形成されている識別マークであって、隠しセキュリティ情報を含む識別マークと、
を備えることを特徴とする損失防止システム。
【請求項１２】
前記隠しセキュリティ情報は、特定の波長帯域の光に反応して蛍光を発することを特徴とする請求項１１に記載された損失防止システム。
【請求項１３】
前記隠しセキュリティ情報は、前記識別マーク上の所定パターンであることを特徴とする請求項１１に記載された損失防止システム。
【請求項１４】
前記識別マークは、前記平坦な上側表面に直接印刷されたインクであることを特徴とする請求項１１に記載された損失防止システム。
【請求項１５】
前記隠しセキュリティ情報は、特定の波長帯域の光に反応することを特徴とする請求項１１に記載された損失防止システム。
【請求項１６】
隠しセキュリティ情報を含むディスクと、
特定の波長の光子を発光させる隠し光源と、
前記識別マークの真正性を認証するためのイメージセンサーと、
を備える損失防止の認証システム。
【請求項１７】
前記隠しセキュリティ情報が、特定の波長幅の光に対して蛍光を発光し、
前記イメージセンサーが、前記隠しセキュリティ情報の蛍光を検出することを特徴とする請求項１６に記載の損失防止の認証システム。
【請求項１８】
前記イメージセンサーは、前記隠しセキュリティ情報を検出し、ディスクが真正であることを認証することを特徴とする請求項１６に記載の損失防止の認証システム。
【請求項１９】
前記イメージセンサーは、ディスク上の顕在的な情報を検出することを特徴とする請求項１６に記載の損失防止の認証システム。
【請求項２０】
前記イメージセンサーは、顕在的な情報と前記隠しセキュリティ情報とを比較し、ディスクが真正であることを認証することを特徴とする請求項１６に記載の損失防止の認証システム。
【発明の詳細な説明】
【技術分野】
【０００１】
本発明は、一般的に損失防止システムに関し、より詳しくは損失防止システムにマークを利用するシステムに関する。
【背景技術】
【０００２】
例えば、ブルーレイディスク又は、ディジタル多用途ディスク（ＤＶＤ）などの急速に成長するデータ記憶市場は、現代生活に不可欠な一面である。ディジタルコンテンツ・キオスクは、ディジタル媒体コンテンツを展示したり、取引したり、頒布したりするのに、益々人気の高い手段となっている。多数のディジタルコンテンツ・キオスクは、ディジタル媒体を流通させるのに大きな顕在的商機を提供している。ブルーレイディスク、ビデオゲーム、及びホログラムディスクのような台頭してくる媒体により、ディジタルコンテンツの価値が高まるにつれて、ディジタル媒体に関する窃盗も増え続けるという問題が存在している。
【０００３】
窃盗を防止する装置は、一般的に機能性に富み、かつ比較的低い製造費で大量生産されなければならないという点で、製造統合性に重要な衝撃を与える特有の属性を有する。ディジタルコンテンツ・キオスクにおける進歩した窃盗防止に関する要求に対処させるため、多くの取り組みが行われてきた。多くの産業におけるロードマップは、現行の窃盗防止能力と利用できる支援技術との間に、重大な乖離が存在することを示している。現行の技術に伴う限界と問題としては、増え続ける制約された機能性、製造に適さないような複雑性、信頼性の低さ、更には高い製造費がある。
【０００４】
頒布システムが、多くの機能を種々の環境における要求に合わせて組み込むように進化するにつれて、技術的環境に対する圧力は、ますます困難なものになってくる。更に重要なことに、限りなく増大する技術の複雑さに伴って、製造中の誤りを起こす顕在的危険性は、非常に高いものとなっている。
【０００５】
消費者の期待が大きくなり、市場において有意な形で製品差別化を実現する機会が減少することと共に、限りなく増え続ける商業上の競争圧力を考慮すると、これらの問題の解決策を見出すことは重要である。更に、製造費を減少させ、製造にかかる時間を短縮し、製造効率並びに性能を改善し、そして、競争についての圧力の要求を満たす必要性は、上記問題の解決策を見出すための重要な必要性に加えて、ますます緊急なものとなっている。
【発明の概要】
【発明が解決しようとする課題】
【０００６】
このように、より強健(robust)な損失防止システム及びその製造方法を提供する必要性が残されている。これらの問題に対する解決策は長い間求められて来たが、これまでの開発は、いかなる解決策を教示し、或いは示唆するものでもなかった。したがって、長い間これらの問題解決策は、当業者によって見出されてこなかった。
【課題を解決するための手段】
【０００７】
本発明は、平坦な上側表面を有するディスクを準備すること、及び、当該平坦な上側表面に隠しセキュリティ情報を含む識別マークを適用すること、からなる損失防止システムの製造方法を提供する。
【０００８】
本発明は、平担な上側表面を有するディスクと、当該平坦な上側表面に形成された、隠しセキュリティ情報を含む識別マークと、を含んでいる損失防止システムを提供する。
【０００９】
本発明による幾つかの実施形態は、上記の態様に付加され、又は上記の態様に置き換えられる別の工程（steps）又は要素を有する。これらの工程又は要素は、添付図を参照して以下の詳細な説明を読むことによって、この分野の当業者には明らかとなるであろう。
【図面の簡単な説明】
【００１０】
【図１】本発明による第１実施形態の損失防止システムの斜視図を示す。
【図２】第１図の損失防止システムを利用したディジタルコンテンツ・キオスクで、その一部が透視できる斜視図を示す。
【図３】第１図の３−３線に沿った損失防止システムの斜視図を示す。
【図４】本発明による第２実施形態の損失防止システムの斜視図を示す。
【図５】製造時の受け入れ段階後における、第４図の損失防止システムの斜視図を示す。
【図６】製造時の準備段階後における、第５図の損失防止システムの斜視図を示す。
【図７】製造時の印刷段階後における、第６図の損失防止システムの上平面図を示す。
【図８】製造時の包装後における、第７図の損失防止システムの斜視図を示す。
【図９】本発明によるさらなる実施形態において、第１図の損失防止システムに使う製造方法のフローチャートを示す。
【発明を実施するための形態】
【００１１】
当業者が本発明を実施し、かつ利用ができるようにするために、以下に実施形態が十分に詳述される。他の実施形態も本発明の説明に基づいて明らかとなり、さらにシステム、工程又は機械的な変化が、本発明の技術範囲から逸脱することなく成し得ることが理解されよう。
【００１２】
以下の説明では、本発明の完全な理解を提供するために、多くの特定の詳細な形態が詳述される。しかし、これらの特定の詳細な形態を備えなくとも、本発明を実施できることは明らかであろう。本発明が不明瞭になることを避けるために、幾つかの良く知られた回路、システム構成、製造工程については詳述しない。
【００１３】
本発明の図面に示された実施形態は、幾分概略的なものであり、縮尺で描いたものではなく、特に幾つかの寸法は、明確な表示のためのものであり、図面では幾分誇張して表示されている。同様に、図面における表示は、一般的に同じ向きで示されているが、図の表示の多くの部分では任意である。一般的に本発明は、どの向きにおいても実施できる。
【００１４】
更に、幾つかの共通の特徴を有する複数の実施形態を開示し、説明する場合には、図示と説明及びその理解を明確かつ容易にするために、個々の同様な特徴は、一般的に同じ数字番号で説明される。説明の便宜上、実施例において、第１の実施例や第２の実施例などのように番号を付すが、それらは、番号以外に他の意味を有することを意図しておらず、さらに、本発明を限定することを意図するものでもない。
【００１５】
説明的な目的のために、ここで使われる「水平」という用語は、ディスクの方向に拘わらず、ディスク平面又は表面に平行な面と定義する。「垂直」という用語は、上記のように定義した水平に対して直交する方向を記述する。「上」、「下」、「底」、「上面」、側壁のような「側部」、「より高い」、「より低い」、「上部」、「上方」及び「下方」と言う用語は、図に示される水平面に関して定義される。「接して上方に」と言う用語は、何らの材料も介在させないで、２つの要素の間に直接的に接触があることを意味している。
【００１６】
この明細書で使われる「適用する」という用語は、印刷する、貼り付ける、形成する又は、これらに類似の行為を含む。
【００１７】
ここで図１を参照すると、ここには本発明による第１実施形態の損失防止システム１００の斜視図が示されている。損失防止システム１００は、ディスク１０２として示されるディジタル記憶媒体を有するものとして示されており、この媒体は、ディジタル多用途ディスク、ブルーレイディスク、ホログラムディスク、コンパクトディスク、又は他のディジタル記憶媒体とすることができる。
【００１８】
ディスク１０２は、ディジタル情報及びディジタル情報の取り出しを劣化させる可能がある外部影響力からディスク１０２を遮蔽する保護特性を備えたケース１０４内に収納したものとして示される。ケース１０４は、窓を通して、又は、識別マーク１０６内の情報にアクセスできる電磁帯域又は光帯域に対して透過性のカバーを通して、識別マーク１０６内に含まれる情報にアクセスすることを可能にするものである。
【００１９】
識別マーク１０６に含まれる顕在的な情報は、肉眼で感知することが可能であり、ディスク１０２に関連した情報とすることができる。この顕在的な情報は、バーコード１０８として示されているが、この顕在的な情報は、人間が読むことができるテキスト、又は特別に定められた記号又は形状としてもよい。バーコード１０８は、ディスク１０２に含まれるディジタル情報に関する情報を表す符号化方法として定義される。バーコード１０８は、各ディスクに固有のものとすることができ、ディスク１０２使用を記録し、その使用を目録として記載するのに利用することができる。
【００２０】
識別マーク１０６の写真複写は、識別マーク１０６を肉眼で見た外観と実質的に同じ複製であり、バーコード１０８を含むことができるが、この写真複写には、肉眼で見えない識別マーク１０６に含まれる別の隠し情報は含まれない。識別マーク１０６は、ディスク１０２の平坦な上側表面１１０に適用してもよい。
【００２１】
図２について述べると、この図は、第１図の損失防止システム１００を利用したディジタルコンテンツ・キオスク２０２を、一部透視できる斜視図で示している。例えば、レッドボックス（登録商標）・キオスクのような、ディジタルコンテンツ・キオスク２０２では、ディスク１０２を利用し、或いは購入するために、通貨と交換することができる。ディジタルコンテンツ・キオスク２０２は、イメージセンサー２０４と隠し光源２０６を備えるものとして示される。イメージセンサー２０４は、可視スペクトル光または肉眼で視認できる光を感知する手段として定義される。イメージセンサー２０４の例としては、カメラ又は人間が見ることのできる認識手段がある。
【００２２】
イメージセンサー２０４と隠し光源２０６を利用して、ディスク１０２に含まれる隠しセキュリティ情報を検出し、処理できることが見出された。イメージセンサー２０４は、イメージセンサー照明スキームを利用し、図１の識別マーク１０６の真正性を認証することができる。隠しセキュリティ情報の検出能力の低下は、隠しセキュリティ情報のリバースエンジニアリングの機会を減らすことにより、隠しセキュリティ情報の強健性（robustness）を増加させる。そのために、真正性は、権限のある実行者によって最初に組み合わされた識別マークとディスクとによって定義される。
【００２３】
図３について述べると、この図は、第１図の３−３線に沿った損失防止システム１００の斜視図である。この損失防止システム１００は、肉眼では見えない隠しセキュリティ情報３０２を備えるものとして示される。隠しセキュリティ情報３０２は、識別マーク１０６の内部又は表面に単層で保存されている肉眼では感知できない情報として定義され、詐欺、盗難又は他の不正行為を検出するのに用いられる。識別マーク１０６は、複数層構成としてもよい。隠しセキュリティ情報３０２は、識別マーク１０６の表面又は内部に設けられる。
【００２４】
隠しセキュリティ情報３０２は、所定帯域幅の光が照射された時に蛍光を発するものとしてもよい。この目的では、蛍光発光は、光子エネルギーを吸収する物質による光エネルギーの放出(emission)として定義される。この放出は、同じ波長又は異なる波長としてもよい。図２の光源２０６は、特定の帯域の波長の光を放出することができ、この特定の帯域の波長の光は、隠しセキュリティ情報３０２に既知の蛍光を発光させ、図２のイメージセンサー２０４により検出される。この目的では、この特定の帯域の光波長は、所定帯域幅の光波長として定義され、この光波長は、隠し情報３０２に相互作用した時に予測可能な結果を生じさせ、図２のイメージセンサー２０４によって検出される。
【００２５】
隠しセキュリティ情報３０２は、検出する角度、この隠しセキュリティ情報３０２に向けた入射光の角度に無関係に、かつ、光強度に無関係に機能することができる。この目的では、視認不可能な光波長または視認不可能な光スペクトルは、可視スペクトル波長領域範囲外の光の波長として定義される。
【００２６】
検出する角度や、隠しセキュリティ情報３０２に向けた入射光の角度に無関係に、かつ光強度に無関係に機能する隠しセキュリティ情報３０２を利用することにより、損失防止システム１００の製造費と複雑性が低減されることが見出された。ここで、利用するとは、使用すること、採用すること、活用することとして定義される。更にまた、検出する角度や、隠しセキュリティ情報３０２に向けた入射光の角度とは無関係に、更に光強度に無関係に機能する隠しセキュリティ情報３０２を利用することによって、識別マーク１０６上の隠しセキュリティ情報３０２の配置の多様性を高めることができ、これにより、より高密度な情報記憶や、設計の多様性を向上させることが可能であることが分かる。
【００２７】
隠しセキュリティ情報３０２は、図２のイメージセンサー２０４により検出可能であり、識別マーク１０６が真正であり、複写物ではないものと認識する。図２のディジタルコンテンツ・キオスク２０２は、また過去のものと互換可能であり、隠しセキュリティ情報３０２を含まない識別マーク上の顕在的なマークを処理することが可能である。隠しセキュリティ情報３０２は、どのような設計、記号、形状、又は構成としてもよく、また、識別マーク１０６の外側周縁領域３０６に沿う外側リング３０４又は内側周縁領域３１０に沿う内側リング３０８として示されている。
【００２８】
隠しセキュリティ情報３０２は、ディスク１０２に関しての盗難、詐欺その他不正行為を直ちに検出するのに利用できることが見出された。直ちに検出ができることは、盗難品を回復する正確性と同様に、盗難品の補償を獲得することの正確性を高める。
【００２９】
外側リング３０４、内側リング３０８、又は、外側周縁領域３０６及び内側周縁領域３１０に限らないリング構成（図示されない）に隠しセキュリティ情報３０２が含まれる構成とすることによって、処理コストを低減し、表面領域と記憶可能な密度を増加させ、どの方向でも読取りを可能にすることが更に見出された。更に、外側リング３０４、内側リング３０８、又は、外側周縁領域３０６及び内側周縁領域３１０に限られないリング構成（図示されない）とすることによって、他の情報が記憶されていない場合に、識別マーク１０６の端部(edges)に沿ってセキュリティ情報を配列することにより、スペースを効率的に利用できることも見出された。
【００３０】
ここで図４を参照すると、ここには、本発明による第２実施形態の損失防止システム４００が斜視図で示される。この損失防止システム４００は、上表面４０６に印刷された識別マーク４０４を有するディスク４０２として示されている。
【００３１】
識別マーク４０４は、ディスク４０２に固有の情報を記憶するバーコード４０８を備えるものとして示される。識別マーク４０４は、さらに、識別マーク４０４の外側周縁領域４１４に沿う外側リング４１２と、識別マーク４０４の内側周縁領域４１８に沿う内側リング４１６の形態で、隠しセキュリティ情報４１０を含むものとして示される。
【００３２】
識別マーク４０４は、ディスク４０２に印刷され、永久的なもの、又は取消しできないものである。取消しできないマークとは、取り除くことが出来ないマークのことである。さらに、識別マーク４０４の隠しセキュリティ情報４１０は、肉眼で見ることができない。識別マーク４０４を写真複写すると、バーコード４０８は再生されるが、隠しセキュリティ情報４１０は再生されない。
【００３３】
ディスク４０２の上表面４０６上に直接インク印刷された識別マークを印刷することにより、ディスク４０２の製造費を低減し、かつ、隠しセキュリティ情報４１０が、多様な分野で多くの価格的な面から使用され得ることが見出された。更に、識別マーク４０４は、肉眼で見える安全ではない識別マークに類似した形態で印刷しても、流通中のいずれのディスクの保護レベルを完全に評価する能力がない結果となることが見出された。更にまた、印刷された識別マーク４０４は、取り消すことが出来ず、さらに、その識別マーク４０４を除去して、再び適用するという能力を除去することが分かった。
【００３４】
隠しセキュリティ情報４１０は、ディスク４０２に関した盗難、詐欺その他不正行為を直ちに検出するのに利用できることが見出された。直ちに検出できることは、盗難品を回復する正確性と同様に、盗難品の補償を獲得することの正確性を高める。
【００３５】
外側リング４１２、内側リング４１６、又は、外側周縁領域４１４と内側周縁領域４１６に限らないリング構成（図示されない）に隠しセキュリティ情報４１０が含まれる構成とすることによって、処理コストを低減させ、表面領域と記憶可能な密度を増加させ、どの方向でも読取りを可能にすることが更に見出された。更に、外側リング４１２、内側リング４１６、又は、外側周縁領域４１４と内側周縁領域４１６に限らないリング構成（図示されない）とすることによって、他の情報が記憶されていない場合に、識別マークの端部に沿ってセキュリティ情報を配列することにより、スペースを効率的に利用できることも分かった。
【００３６】
ここで図５を参照すると、ここには、製造の受け入れ段階後における、第４図の損失防止システムの斜視図が示されている。ディスク４０２は、大型パッケージ５０４として受け入れられ、多数の供給源から受け入れることができ、次の処理のために搬送される。
【００３７】
ここで図６を参照すると、ここには、製造の準備段階後の、第５図の損失防止システム４００の斜視図が示されている。ディスク４０２は、開梱され、計数され、整理され、後処理段階に回される。また順番が、ディスク４０２に関連付けられる。
【００３８】
ここで図７を参照すると、ここには、製造の印刷段階後の、第６図の損失防止システム４００が平面図で示される。識別マーク４０４が、ディスク４０２に印刷された状態で示されている。
【００３９】
この識別マーク４０４は、バーコード４０８を隠しセキュリティ情報４１０とは別に印刷する、という２工程処理によってディスク４０２片面に印刷することができる。この２工程処理では、第１印刷部分にマークの物理的特性を持たせることができる。さらに、この２工程処理では、第１印刷部分と第２印刷部分との間の重なりについて物理的特性を持たせることができる。
【００４０】
識別マーク４０４は、バーコード４０８を隠しセキュリティ情報４１０と同じ工程で印刷するようにする１工程処理によってディスク４０２の片面に印刷することができる。この１工程処理では、印刷部分に加工マークのない物理的特性を持たせることができる。また識別マーク４０４は又、ディスク４０２の両面に印刷することもできる。
【００４１】
ここで図８を参照すると、ここには、製造の包装後における、第７図の損失防止システム４００が斜視図で示される。ディスク４０２は、ディスク４０２に含まれるディジタル媒体を保護できるようにケース８０２内に収められた状態で示されている。ケース８０２は、カートンに詰めて出荷される。
【００４２】
ここで図９を参照すると、ここには、本発明によるさらなる実施形態における第１図の損失防止システム１００の製造方法９００のフローチャートが示される。この製造方法９００は、ブロック９０２において平坦な上側表面を有するディスクを準備し、ブロック９０４において、当該平坦な上側表面に、隠しセキュリティ情報を含む識別マークを適用すること、を含んでいる。
【００４３】
このようにして、本発明の隠しセキュリティ情報は、ディジタルコンテンツの頒布及び製造方法に、重要で、これまでに知られておらず、利用できなかった解決方法と、可能性と、機能的な態様とを提供できることが分かった。結果として生じる工程及び構成は、簡単ですっきりしたものであり、費用効率が良く、複雑でなく、高度に融通性があり、正確かつ高感度であり、有効であり、既存の部品を採用することにより、容易に、効率良く、かつ経済的な製造と応用及び利用を実現することができる。
【００４４】
本発明は、特殊な最良の形態により説明されているが、他に多くの変更、修正及び変形は、当業者には上述の説明に照らせば容易に成し得るものと理解すべきである。従って、このような多くの変更、修正及び変形の全てが、特許請求の範囲に含まれることを意図している。この明細書において、これまで説明され、添付図面に示された全ての説明は、例示的なものであり、限定的な意図がないものとして解釈されるべきである。
【符号の説明】
【００４５】
１００  損失防止システム
１０２  ディスク
１０４  保護ケース
１０６  識別マーク
１０８  バーコード
１１０  ディスクの平坦な上側表面
２０２  ディジタルコンテンツ・キオスク
２０４  イメージセンサー
２０６  光源
３０２  隠しセキュリティ情報
３０６  外側周縁領域
３０４  外側リング
３１０  内側周縁領域に沿う
３０８  内側リング
【図１】
2012123891.tif 000003
【図２】
2012123891.tif 000004
【図３】
2012123891.tif 000005
【図４】
2012123891.tif 000006
【図５】
2012123891.tif 000007
【図６】
2012123891.tif 000008
【図７】
2012123891.tif 000009
【図８】
2012123891.tif 000010
【図９】
2012123891.tif 000011
【外国語明細書】
2012123891.tif 000012
2012123891.tif 000013
2012123891.tif 000014
2012123891.tif 000015
2012123891.tif 000016
2012123891.tif 000017
2012123891.tif 000018
2012123891.tif 000019
2012123891.tif 000020
2012123891.tif 000021
2012123891.tif 000022
2012123891.tif 000023
2012123891.tif 000024
2012123891.tif 000025
2012123891.tif 000026
2012123891.tif 000027
2012123891.tif 000028
2012123891.tif 000029